(57)【特許請求の範囲】
【請求項１】
第１の無線通信によるマルチホップネットワークを構成するために複数の無線機器を順次設置する無線システムの構築作業を支援する無線システム構築支援システムであって、
前記複数の無線機器を順次設置する作業を行う作業者に携行され、当該作業の進行に伴って変化する作業対象の前記無線機器と第２の無線通信によって通信可能に接続され得る移動端末と、
前記移動端末と広域通信によって通信可能に接続されるサーバ装置と、
を備え、
前記移動端末は、
前記第２の無線通信によって接続された前記無線機器から、当該無線機器とその他の前記複数の無線機器との間で前記第１の無線通信について計測された所定の通信指標の計測値を前記第２の無線通信で受信する計測値受信部と、
前記計測値受信部が受信した計測値を前記広域通信で前記サーバ装置に送信する計測値広域送信部と、
を有し、
前記サーバ装置は、
前記計測値広域送信部から送信される前記計測値を受信し、過去に受信した前記計測値とともに蓄積する計測値蓄積部と、
前記計測値蓄積部に蓄積された複数の前記計測値に基づいて前記無線システムの構成状況を算出し、当該算出の結果を前記移動端末で表示可能な形式の描画情報に変換する構成算出部と、
前記構成算出部によって生成された前記描画情報を前記広域通信で前記移動端末に送信する描画情報送信部と、
を有し、
前記移動端末は、前記描画情報送信部から送信された前記描画情報に基づいて前記無線システムの構成状況を教示する
ことを特徴とする無線システム構築支援システム。
【請求項２】
前記移動端末は所定の表示部をさらに備え、
前記移動端末は、前記描画情報に基づいた画像を前記所定の表示部に表示することによって前記無線システムの構成状況を教示する
ことを特徴とする請求項１に記載の無線システム構築支援システム。
【請求項３】
前記複数の無線機器を順次設置する作業が複数の作業者によって並行して実行される場合に、前記移動端末がそれぞれの作業者に携行され、
前記サーバ装置の前記計測値蓄積部は、それぞれの前記移動端末の前記計測値広域送信部から送信される前記計測値を受信し、蓄積する
ことを特徴とする請求項１に記載の無線システム構築支援システム。
【請求項４】
前記所定の通信指標はＲＳＳＩ（Received Signal Strength Indicator）である
ことを特徴とする請求項１記載の無線システム構築支援システム。
【請求項５】
前記構成算出部は、前記計測値蓄積部に蓄積された複数の前記計測値に基づいて無線システム全体の構成状況を算出したうちから、所望の作業エリアに設置された前記無線機器による構成状況のみを抽出し、該抽出した結果を前記移動端末で表示可能な形式の描画情報に変換する
ことを特徴とする請求項１に記載の無線システム構築支援システム。
【請求項６】
第１の無線通信によるマルチホップネットワークを構築する無線システムの構築作業において作業計画に従って順次設置される無線機器であって、設置済みの無線機器との間で前記第１の無線通信を確立し得る複数の無線機器と、
前記複数の無線機器を順次設置する作業を行う作業者に携行され、当該作業の進行に伴って変化する作業対象の前記無線機器と第２の無線通信によって通信可能に接続され得る移動端末と、
前記移動端末と広域通信によって通信可能に接続されるサーバ装置と、
を備え、
前記無線機器は、
前記移動端末からの指示に基づいて、他の前記無線機器との間で前記第１の無線通信について所定の通信指標を計測する計測部と、
前記計測部によって計測された計測値を前記第２の無線通信で前記移動端末に送信する計測値送信部と、
を有し、
前記移動端末は、
前記第２の無線通信によって接続された前記無線機器に、当該無線機器とその他の前記複数の無線機器との間で前記第１の無線通信について所定の通信指標の計測を指示する計測指示部と、
前記計測値送信部から送信された前記所定の通信指標の計測値を受信する計測値受信部と、
前記計測値受信部が受信した計測値を前記広域通信で前記サーバ装置に送信する計測値広域送信部と、
を有し、
前記サーバ装置は、
前記計測値広域送信部から送信される前記計測値を受信し、過去に受信した前記計測値とともに蓄積する計測値蓄積部と、
前記計測値蓄積部に蓄積された複数の前記計測値に基づいて前記無線システムの構成状況を算出し、当該算出の結果を前記移動端末で表示可能な形式の描画情報に変換する構成算出部と、
前記構成算出部によって生成された前記描画情報を前記移動端末に送信する描画情報送信部と、
を有し、
前記移動端末は、前記描画情報送信部から送信された前記描画情報に基づいて前記無線システムの構成状況を教示する
ことを特徴とする無線システム構築支援システム。
【請求項７】
前記移動端末は所定の表示部をさらに備え、
前記移動端末は、前記描画情報に基づいた画像を前記所定の表示部に表示することによって前記無線システムの構成状況を教示する
ことを特徴とする請求項６に記載の無線システム構築支援システム。
【請求項８】
前記複数の無線機器を順次設置する作業が複数の作業者によって並行して実行される場合に、前記移動端末がそれぞれの作業者に携行され、
前記サーバ装置の計測値蓄積部は、それぞれの前記移動端末の前記計測値広域送信部から送信される前記計測値を受信し、蓄積する
ことを特徴とする請求項６に記載の無線システム構築支援システム。
【請求項９】
前記所定の通信指標はＲＳＳＩ（Received Signal Strength Indicator）である
ことを特徴とする請求項６記載の無線システム構築支援システム。
【請求項１０】
前記構成算出部は、前記計測値蓄積部に蓄積された複数の前記計測値に基づいて無線システム全体の構成状況を算出したうちから、所望の作業エリアに設置された前記無線機器による構成状況のみを抽出し、該抽出した結果を前記移動端末で表示可能な形式の描画情報に変換する
ことを特徴とする請求項６に記載の無線システム構築支援システム。
【請求項１１】
第１の無線通信によるマルチホップネットワークを構築するために複数の無線機器を順次設置する無線システムの構築作業を支援する無線システム構築支援システムによる無線システム構築支援方法であって、
前記無線システム構築支援システムは、
前記無線システムの構築作業において作業計画に従って順次設置され、設置済みの無線機器との間で前記第１の無線通信を確立し得る複数の無線機器と、
前記複数の無線機器を順次設置する作業を行う作業者に携行され、当該作業の進行に伴って変化する作業対象の前記無線機器と第２の無線通信によって通信可能に接続され得る移動端末と、
前記移動端末と広域通信によって通信可能に接続されるサーバ装置と、
を備え、
前記移動端末が、前記第２の無線通信によって接続された前記無線機器に、当該無線機器とその他の前記複数の無線機器との間で前記第１の無線通信について所定の通信指標の計測を指示する計測指示ステップと、
前記計測指示ステップで指示を受けた前記無線機器が、他の前記無線機器との間で前記第１の無線通信について所定の通信指標を計測する計測ステップと、
前記無線機器が、前記計測ステップで計測された計測値を前記第２の無線通信で前記移動端末に送信する計測値送信ステップと、
前記移動端末が、前記計測値送信ステップで送信された前記所定の通信指標の計測値を受信する計測値受信ステップと、
前記移動端末が、計測値受信ステップで受信した計測値を前記広域通信で前記サーバ装置に送信する計測値広域送信ステップと、
前記サーバ装置が、前記計測値広域送信ステップで送信される前記計測値を受信し、過去に受信した前記計測値とともに蓄積する計測値蓄積ステップと、
前記サーバ装置が、前記計測値蓄積ステップで蓄積された複数の前記計測値に基づいて前記無線システムの構成状況を算出し、当該算出の結果を前記移動端末で表示可能な形式の描画情報に変換する構成算出ステップと、
前記サーバ装置が、前記構成算出ステップで生成された前記描画情報を前記移動端末に送信する描画情報送信ステップと、
前記移動端末が、前記描画情報送信ステップで送信された前記描画情報に基づいて前記無線システムの構成状況を教示する構成状況教示ステップと、
を備えることを特徴とする無線システム構築支援方法。
【請求項１２】
前記移動端末は所定の表示画面を有し、
前記構成状況教示ステップにおいて前記移動端末は、前記描画情報に基づいた画像を前記所定の表示画面に表示させることによって前記無線システムの構成状況を教示する
ことを特徴とする請求項１１に記載の無線システム構築支援方法。
【請求項１３】
前記複数の無線機器を順次設置する作業が複数の作業者によって並行して実行される場合に、前記移動端末がそれぞれの作業者に携行され、
前記計測値蓄積ステップにおいて前記サーバ装置は、それぞれの前記移動端末から前記計測値広域送信ステップによって送信される前記計測値を受信し、蓄積する
ことを特徴とする請求項１１に記載の無線システム構築支援方法。
【請求項１４】
前記所定の通信指標はＲＳＳＩ（Received Signal Strength Indicator）である
ことを特徴とする請求項１１記載の無線システム構築支援方法。
【請求項１５】
前記構成算出ステップにおいて前記サーバ装置は、前記計測値蓄積ステップで蓄積された複数の前記計測値に基づいて無線システム全体の構成状況を算出したうちから、所望の作業エリアに設置された前記無線機器による構成状況のみを抽出し、該抽出した結果を前記移動端末で表示可能な形式の描画情報に変換する
ことを特徴とする請求項１１に記載の無線システム構築支援方法。
【発明の詳細な説明】
【技術分野】
【０００１】
本発明は、無線システム構築支援システム及び無線システム構築支援方法に関し、マルチホップネットワークによる無線システムの構築を支援する無線システム構築支援システム及び無線システム構築支援方法に適用して好適なものである。
【背景技術】
【０００２】
従来、交通や電力など広域に亘って展開される業種において、広域に設置される業種設備（例えば、配電系統における遠制開閉器子局など）の間で通信可能な無線システムの構築が求められている。このような要求に応える好適な無線システムの一例として、複数の無線機器から構成されるマルチホップネットワークによる無線システムが存在し、当該無線システムは、所望の設置場所に設置される複数の無線機器のほか、当該無線機器間での無線通信を確立するための中継器として設置される無線機器を備えて構成される。
【０００３】
マルチホップネットワークによる無線システムを地理的に広域に亘って構築する場合、構築後に無線機器間で無線通信が確立できない事態が判明すると、無線機器の配置位置の再調整や中継器の追加等の措置が必要となり、様々なコストが発生してしまう。そこで、このような無線システムの構築においては、構築中に一組ごとの無線機器間で無線通信が確立するかを逐次確認しながら無線機器の設置を進めていく局所最適の方法が一般的であった。
【０００４】
このように無線機器間で無線通信が確立するかを確認する手段としては、任意の無線機器２台からなる２点間で、ＲＳＳＩ（受信信号強度：Received Signal Strength Indicator）等の通信指標を計測する方法がある。例えば、特許文献１には、無線システム全体の通信状態の把握を目的に、無線機器が、周辺の無線機器に対して通信指標を計測する要求を送信し、要求を受信した周辺の無線機器は、計測した通信指標を含む応答を無線機器に送信、該応答を受信した無線機器は、周辺の無線機器の識別子情報と受信した通信指標を保存する、というプログラムについて記載されている。
【先行技術文献】
【特許文献】
【０００５】
【特許文献１】特許第４９２４９４８号公報
【発明の概要】
【発明が解決しようとする課題】
【０００６】
しかし、マルチホップネットワークによる無線システムを構築する場合に特許文献１に開示されたプログラムを利用したとしても、その構築中の各時点において、特定の無線機器と該特定の無線機器が通信可能な他の無線機器との間の接続状況を確認できるのみであり、当該特定の無線機器が通信できない無線機器間での通信品質や接続状況を確認することはできず、構築中に無線システム全体の通信状況を把握することができるものではなかった。
【０００７】
ここで例えば、無線システムの構築中にある設置場所で無線機器が無線通信を確立できずに孤立したとしても、次の設置場所に無線機器を設置することによって先の無線機器との間で無線通信が確立することがあり、このような場合には、先の無線機器の設置場所を変更したり中継器を追加したりしなくても、結果的には当初の計画通りで所望の無線システムを構築できることとなる。しかし、特許文献１に開示されたプログラムを利用した場合、構築中に無線システム全体の通信状況を把握することができない以上、局所最適な無線システムを構築することしかできず、無線機器の配置変更や中継器の追加といった本来は不要な作業が発生する可能性があった。
【０００８】
本発明は以上の点を考慮してなされたもので、無線システムの構築中に当該無線システム全体の通信状況を把握可能にすることによって、全体最適な無線システムの構築を支援可能な無線システム構築支援システム及び無線システム構築支援方法を提案しようとするものである。
【課題を解決するための手段】
【０００９】
かかる課題を解決するため本発明においては、第１の無線通信によるマルチホップネットワークを構成するために複数の無線機器を順次設置する無線システムの構築作業を支援する無線システム構築支援システムが提供される。この無線システム構築支援システムは、前記複数の無線機器を順次設置する作業を行う作業者に携行され、当該作業の進行に伴って変化する作業対象の前記無線機器と第２の無線通信によって通信可能に接続され得る移動端末と、前記移動端末と広域通信によって通信可能に接続されるサーバ装置と、を備え、前記移動端末は、前記第２の無線通信によって接続された前記無線機器から、当該無線機器とその他の前記複数の無線機器との間で前記第１の無線通信について計測された所定の通信指標の計測値を前記第２の無線通信で受信する計測値受信部と、前記計測値受信部が受信した計測値を前記広域通信で前記サーバ装置に送信する計測値広域送信部と、を有し、前記サーバ装置は、前記計測値広域送信部から送信される前記計測値を受信し、過去に受信した前記計測値とともに蓄積する計測値蓄積部と、前記計測値蓄積部に蓄積された複数の前記計測値に基づいて前記無線システムの構成状況を算出し、当該算出の結果を前記移動端末で表示可能な形式の描画情報に変換する構成算出部と、前記構成算出部によって生成された前記描画情報を前記広域通信で前記移動端末に送信する描画情報送信部と、を有し、前記移動端末は、前記描画情報送信部から送信された前記描画情報に基づいて前記無線システムの構成状況を教示することを特徴とする。
【００１０】
また、かかる課題を解決するため本発明においては、第１の無線通信によるマルチホップネットワークを構築する無線システムの構築作業において作業計画に従って順次設置される無線機器であって、設置済みの無線機器との間で前記第１の無線通信を確立し得る複数の無線機器と、前記複数の無線機器を順次設置する作業を行う作業者に携行され、当該作業の進行に伴って変化する作業対象の前記無線機器と第２の無線通信によって通信可能に接続され得る移動端末と、前記移動端末と広域通信によって通信可能に接続されるサーバ装置と、を備えた無線システム構築支援システムが提供される。この無線システム構築支援システムでは、前記無線機器は、前記移動端末からの指示に基づいて、他の前記無線機器との間で前記第１の無線通信について所定の通信指標を計測する計測部と、前記計測部によって計測された計測値を前記第２の無線通信で前記移動端末に送信する計測値送信部と、を有し、前記移動端末は、前記第２の無線通信によって接続された前記無線機器に、当該無線機器とその他の前記複数の無線機器との間で前記第１の無線通信について所定の通信指標の計測を指示する計測指示部と、前記計測値送信部から送信された前記所定の通信指標の計測値を受信する計測値受信部と、前記計測値受信部が受信した計測値を前記広域通信で前記サーバ装置に送信する計測値広域送信部と、を有し、前記サーバ装置は、前記計測値広域送信部から送信される前記計測値を受信し、過去に受信した前記計測値とともに蓄積する計測値蓄積部と、前記計測値蓄積部に蓄積された複数の前記計測値に基づいて前記無線システムの構成状況を算出し、当該算出の結果を前記移動端末で表示可能な形式の描画情報に変換する構成算出部と、前記構成算出部によって生成された前記描画情報を前記移動端末に送信する描画情報送信部と、を有し、前記移動端末は、前記描画情報送信部から送信された前記描画情報に基づいて前記無線システムの構成状況を教示することを特徴とする。
【００１１】
また、かかる課題を解決するため本発明においては、第１の無線通信によるマルチホップネットワークを構築するために複数の無線機器を順次設置する無線システムの構築作業を支援する無線システム構築支援システムによる無線システム構築支援方法が提供される。ここで、上記無線システム構築支援システムは、前記無線システムの構築作業において作業計画に従って順次設置され、設置済みの無線機器との間で前記第１の無線通信を確立し得る複数の無線機器と、前記複数の無線機器を順次設置する作業を行う作業者に携行され、当該作業の進行に伴って変化する作業対象の前記無線機器と第２の無線通信によって通信可能に接続され得る移動端末と、前記移動端末と広域通信によって通信可能に接続されるサーバ装置と、を備える。そして、本発明に係る無線システム構築支援方法は、前記移動端末が、前記第２の無線通信によって接続された前記無線機器に、当該無線機器とその他の前記複数の無線機器との間で前記第１の無線通信について所定の通信指標の計測を指示する計測指示ステップと、前記計測指示ステップで指示を受けた前記無線機器が、他の前記無線機器との間で前記第１の無線通信について所定の通信指標を計測する計測ステップと、前記無線機器が、前記計測ステップで計測された計測値を前記第２の無線通信で前記移動端末に送信する計測値送信ステップと、前記移動端末が、前記計測値送信ステップで送信された前記所定の通信指標の計測値を受信する計測値受信ステップと、前記移動端末が、計測値受信ステップで受信した計測値を前記広域通信で前記サーバ装置に送信する計測値広域送信ステップと、前記サーバ装置が、前記計測値広域送信ステップで送信される前記計測値を受信し、過去に受信した前記計測値とともに蓄積する計測値蓄積ステップと、前記サーバ装置が、前記計測値蓄積ステップで蓄積された複数の前記計測値に基づいて前記無線システムの構成状況を算出し、当該算出の結果を前記移動端末で表示可能な形式の描画情報に変換する構成算出ステップと、前記サーバ装置が、前記構成算出ステップで生成された前記描画情報を前記移動端末に送信する描画情報送信ステップと、前記移動端末が、前記描画情報送信ステップで送信された前記描画情報に基づいて前記無線システムの構成状況を教示する構成状況教示ステップと、を備えることを特徴とする。
【発明の効果】
【００１２】
本発明によれば、無線システムの構築中に当該無線システム全体の構成状況（無線機器の設置状況及び通信状況）を把握することができる。
【図面の簡単な説明】
【００１３】
【図１】本実施の形態に係る無線システム構築支援システムの構成を例示するブロック図である。
【図２】無線機器のハードウェア構成を例示するブロック図である。
【図３】移動端末のハードウェア構成を例示するブロック図である。
【図４】サーバ装置のハードウェア構成を例示するブロック図である。
【図５】サーバ装置に蓄積される通信指標を含む計測値の一例を説明するための図である。
【図６】通信指標計測処理の処理手順の一例を示すフローチャートである。
【図７】通信指標計測応答処理の処理手順の一例を示すフローチャートである。
【図８】無線システム構成取得処理の処理手順の一例を示すフローチャートである。
【図９】無線システム構成生成処理の処理手順の一例を示すフローチャートである。
【図１０】無線システム構築支援処理の処理手順例を示すシーケンス図（その１）である。
【図１１】無線システム構築支援処理の処理手順例を示すシーケンス図（その２）である。
【図１２】無線システム構築支援処理の処理手順例を示すシーケンス図（その３）である。
【図１３】無線システム構築支援処理が行われたときの描画情報の表示例を説明するための図である。
【発明を実施するための形態】
【００１４】
以下図面について、本発明の一実施の形態を詳述する。
【００１５】
（１）無線システム構築支援システムの概略的構成
図１は、本実施の形態に係る無線システム構築支援システムの構成を例示するブロック図である。
【００１６】
図１に示すように、無線システム構築支援システム１は、複数の無線機器２（個別には、無線機器２ａ〜２ｄ）によって構成されるマルチホップネットワークによる無線システムの構築を支援するためのシステムであって、広域通信網５を介して通信可能に接続される移動端末３及びサーバ装置４を備えて構成される。なお、無線システム構築支援システム１は複数の無線機器２を含む構成としてもよい。また図１には、無線機器２の間の無線通信を示す無線通信６１（個別には無線通信６１ａ〜６１ｄ）と、無線機器２と移動端末３との間の無線通信を示す無線通信６２（個別には無線通信６２ａ〜６２ｄ）と、広域通信網５を介して移動端末３とサーバ装置４との間で接続される広域通信６３とが示されている。
【００１７】
無線通信６１は、中広域で通信可能なマルチホップルーティング形式の無線通信であって、本実施の形態においてそれぞれの無線機器２は無線通信６１による無線通信機能を有している。無線通信６１はマルチホップルーティング形式を採用しているため、一組の無線機器２の間で直接接続可能な場合に相互に通信可能となるだけでなく、直接接続できない無線機器２間であっても、他の無線機器２によって中継可能な限りにおいて、相互に通信可能にすることができる。
【００１８】
具体的には例えば、図１では、無線機器２ａと無線機器２ｂとの間が無線通信６１によって直接接続可能であることを示すものとして、無線通信６１ａが示されている。同様に、無線機器２ｃと無線機器２ｄとの間及び無線機器２ｂと無線機器２ｄとの間も直接接続可能であることが示されている（無線通信６１ｃ，６１ｄ）。このように無線通信６１によって一組の無線機器２の間が直接接続可能な場合、一般的な無線通信と同様、これらの無線機器２の間は相互に通信可能にされる。
【００１９】
また図１では、無線機器２ｂと無線機器２ｃとの間は直接接続できないことが示されているが（無線通信６１ｂ）、無線機器２ｄが中継器の役割を果たして通信を仲介することによって、無線機器２ｂと無線機器２ｃとの間は相互に通信可能にされる（無線通信６１ｄ，６１ｃ）。
【００２０】
無線通信６２は、無線ＬＡＮ（Local Area Network）やＢｌｕｅｔｏｏｔｈ（登録商標）などの近距離無線通信である。本実施の形態において、無線機器２及び移動端末３は、無線通信６２による無線通信機能を有している。例えば図１では、無線機器２ｄからの上記近距離無線通信が可能な範囲内に移動端末３が存在する場合に、無線機器２ｄと移動端末３との間で無線通信６２ｄによる直接接続が確立され、無線機器２ｄと移動端末３との間が相互に通信可能になることが示されている。また、移動端末３は、自身が移動することによって、他の無線機器２ａ〜２ｃとの間も無線通信６２によって相互に通信可能となることができる（無線通信６２ａ〜６２ｃ）。
【００２１】
広域通信６３は広域通信網５によって接続される通信であり、広域通信網５は、例えば、携帯電話網や広域公衆インターネット網あるいは広域閉域網等で構成される通信網である。本実施の形態において、移動端末３及びサーバ装置４は、広域通信６３による通信機能を有している。なお、本実施の形態における広域通信６３では、移動端末３と広域通信網５との間は無線通信による接続が必要であるが、サーバ装置４と広域通信網５との間は必ずしも無線通信でなくてもよく、光ファイバケーブル等を用いた有線通信であってもよい。
【００２２】
本実施の形態に係る無線システム構築支援システム１では、図１に示した各構成が適宜通信可能に接続されることによって、複数の無線機器２ａ〜２ｄの間で計測された通信指標等の情報を移動端末３を介してサーバ装置４に送信可能にするとともに、サーバ装置４に蓄積された情報や当該情報に基づいて作成された情報等を移動端末３で受信可能にすることができる。以下、各装置（無線機器２，移動端末３，サーバ装置４）の構成を詳しく説明する。
【００２３】
（２）各装置の構成
（２−１）無線機器２
前述したように、無線機器２は、中広域で通信可能なマルチホップルーティング形式の無線通信６１と近距離で直接接続可能な無線通信６２とによる無線通信機能を備えた通信機器である。なお、無線機器２ａ〜２ｄの設置位置は、例えば無線システムの構築計画のなかで予め定められている。
【００２４】
そして、図１には無線機器２の機能構成が示されており、具体的には、無線機器２（２ａ〜２ｄ）は、計測指示待機部２１（２１ａ〜２１ｄ）、計測送信部２２（２２ａ〜２２ｄ）、計測受信部２３（２３ａ〜２３ｄ）、計測値送信部２４（２４ａ〜２４ｄ）、計測待受部２５（２５ａ〜２５ｄ）、計測応答部２６（２６ａ〜２６ｄ）、及び計測値記憶部２７（２７ａ〜２７ｄ）を備えている。
【００２５】
なお、これらの各機能構成は、図２に例示する無線機器２のハードウェア構成によって実現され、その詳細な対応は各機能構成の説明で後述する。図２は、無線機器のハードウェア構成を例示するブロック図である。
【００２６】
図２によれば、無線機器２は、無線機器２全体を制御する制御部２０１、永続的に各種データを保存可能な記憶部２０２、各種センサ等と接続可能な入力部２０３、中広域で他の無線機器２と通信可能な無線通信６１を行う通信部２０４、及び移動端末３と近距離で直接接続可能な無線通信６２を行う直接通信部２０５を備えている。
【００２７】
より具体的には、制御部２０１は、ＣＰＵ（Central Processing Unit）、ＲＡＭ（Random Access Memory）及びＲＯＭ（Read Only Memory）等から構成され、ＣＰＵがＲＯＭ等に格納されたプログラムをＲＡＭに読み出して実行する等によって無線機器２全体を制御する。すなわち、以下に詳述する無線機器２の各機能構成による機能もその多くは、所定のプログラムをＣＰＵが読み出して実行することによる制御部２０１の制御によって実現される。また、記憶部２０２は、ＲＯＭやその他書き換え可能なメモリ等で構成され、制御部２０１による制御に従って各種データを蓄積・保存する。また、通信部２０４は、無線通信６１の通信規格に対応する通信インタフェースであり、直接通信部２０５は、無線通信６２の通信規格に対応する通信インタフェースである。
【００２８】
以下では、無線機器２における各機能構成について詳しく説明する。
【００２９】
計測指示待機部２１は、所定の通信指標の計測を開始する指示（計測指示）を待ち受ける機能を有する（計測指示待機）。計測指示は、移動端末３（より具体的には、後述する計測指示部３１）から無線機器２の計測指示待機部２１に送信される。計測指示待機部２１による計測指示待機の機能は、直接通信部２０５によって実現される。
【００３０】
計測送信部２２は、計測指示待機部２１が移動端末３から計測指示を受けた場合に、周辺の無線機器２（例えば、無線機器２ｂ〜２ｄ）に対して、各無線機器２との間で所定の通信指標を計測するためのパケットを送信する機能を有する（計測送信）。計測送信部２２による計測送信の機能は、制御部２０１及び通信部２０４によって実現される。
【００３１】
計測受信部２３は、計測送信部２２が周辺の無線機器２に対して計測送信を実行したあとに、当該計測送信への応答パケットを周辺の無線機器２から受信する機能を有する（計測受信）。計測受信部２３による計測受信の機能は、制御部２０１及び通信部２０４によって実現される。
【００３２】
計測値送信部２４は、計測受信部２３が受信した応答パケットに基づいて算出した通信指標を含む計測値を移動端末３に送信する機能を有する（計測値送信）。なお、計測受信部２３または計測値送信部２４は、計測受信において受信した応答パケットに含まれる計測値に基づいて周辺の無線機器２との間の通信指標を算出し、計測値送信において、算出した通信指標を移動端末３に送信することができる。また、計測値送信によって計測値送信部２４から送信された計測値は、移動端末３の計測値受信部３２で受信される。計測値送信部２４による計測値送信の機能は、制御部２０１及び直接通信部２０５によって実現される。
【００３３】
計測待受部２５は、他の無線機器２の計測送信部２２（例えば、計測送信部２２ｂ〜２２ｄ）からの「計測送信」による通信を待ち受ける機能を有する（通信指標計測待機）。より具体的には、計測待受部２５ａは、「計測送信」によって計測送信部２２ｂ〜２２ｄから送信される「所定の通信指標を計測するためのパケット」を待ち受ける。計測待受部２５による通信指標計測待機の機能は、通信部２０４によって実現される。
【００３４】
計測応答部２６は、通信指標計測待機において計測待受部２５が他の無線機器２の計測送信部２２からの計測送信（通信指標を計測するためのパケット）を受信した場合に、当該計測送信への応答パケットとして、自身の無線機器２における当該通信指標を含む計測値を送信する機能を有する（通信指標計測応答）。計測応答部２６によって送信された応答パケットは、計測送信の送信元の無線機器２における計測受信部２３によって受信される。計測応答部２６による通信指標計測応答の機能は、制御部２０１及び通信部２０４によって実現される。
【００３５】
計測値記憶部２７は、計測送信への応答パケット（通信指標を含む計測値）を計測受信部２３が受信した場合に、当該受信した応答パケットに含まれる情報（例えば、計測値）を蓄積または保存する機能を有する（計測値保存）。計測値記憶部２７による計測値保存の機能は、制御部２０１及び記憶部２０２によって実現される。
【００３６】
（２−２）移動端末３
移動端末３は、無線システムの構築作業を行う作業員が保持する装置であって、具体的には例えば、スマートフォンやタブレット端末を利用することができる。移動端末３は、無線通信６２及び広域通信６３による通信機能を有するものであるが、具体的には例えば、Ｂｌｕｅｔｏｏｔｈデバイスを内蔵した移動端末３においてＢｌｕｅｔｏｏｔｈで接続が確立された無線機器２との間で無線通信６２が実現され、広域通信網５を介して接続される携帯電話通信によってサーバ装置４との間で広域通信６３が実現される。
【００３７】
なお、移動端末３は、無線システムの構築作業の進行によって作業員の作業場所が移動することに伴い、その居場所が変更される。例えば図１では、無線システムの構築作業が無線機器２ａ、無線機器２ｂ、無線機器２ｃ、そして無線機器２ｄの順に行われるとし、したがって移動端末３も上記無線機器２ａ〜２ｄの順に居場所が変更される。
【００３８】
さらに図１には、移動端末３の機能構成が示されており、具体的には、移動端末３は、計測指示部３１、計測値受信部３２、計測値広域送信部３３、描画情報受信部３４、及び描画部３５を備えている。
【００３９】
なお、これらの各機能構成は、図３に例示する移動端末３のハードウェア構成によって実現され、その詳細な対応は各機能構成の説明で後述する。図３は、移動端末のハードウェア構成を例示するブロック図である。
【００４０】
図３によれば、移動端末３は、移動端末３全体を制御する制御部３０１、永続的に各種データを保存可能な記憶部３０２、広域通信網５に接続して広域通信６３を行う広域通信部３０３、無線機器２と近距離で直接接続可能な無線通信６２を行う直接通信部３０４、時刻情報を持つ計時部３０５、及び作業者等に向けて多様な情報を出力可能な表示部３０６を備えている。
【００４１】
より具体的には、制御部３０１は、ＣＰＵ、ＲＡＭ及びＲＯＭ等から構成され、ＣＰＵがＲＯＭ等に格納されたプログラムをＲＡＭに読み出して実行する等によって移動端末３全体を制御する。すなわち、以下に詳述する移動端末３の各機能構成による機能もその多くは、所定のプログラムをＣＰＵが読み出して実行することによる制御部３０１の制御によって実現される。また、記憶部３０２は、ＲＯＭやその他書き換え可能なメモリ等で構成され、制御部３０１による制御に従って各種データを蓄積・保存する。また、広域通信部３０３は、広域通信６３の通信規格に対応する通信インタフェースであり、直接通信部３０４は、無線通信６２の通信規格に対応する通信インタフェースである。また、計時部３０５は計時機能を有するプロセッサ等であるが、制御部３０１自身が計時機能を有する場合には制御部３０１で代用されてもよい。また、表示部３０６は、制御部３０１の制御に従って画像や音声等が出力される液晶ディスプレイやスピーカ等に相当する。なお、計時部３０５は必ずしも移動端末３に備えられなくてもよい。
【００４２】
以下では、移動端末３における各機能構成について詳しく説明する。
【００４３】
計測指示部３１は、無線機器２の計測指示待機部２１に対して、他の無線機器２との通信指標を計測させる計測指示を送信する機能を有する（計測指示送信）。計測指示部３１による計測指示送信の機能は、制御部３０１及び直接通信部３０４によって実現される。
【００４４】
計測値受信部３２は、無線機器２の計測値送信部２４の「計測値送信」によって送信される「通信指標を含む計測値」を待ち受け、当該計測値を受信する機能を有する（計測値待機）。計測値受信部３２による計測値待機の機能は、直接通信部３０４によって実現される。
【００４５】
計測値広域送信部３３は、計測値受信部３２が受信した「通信指標を含む計測値」を広域通信６３によってサーバ装置４に送信する機能を有する（計測値送信）。計測値広域送信部３３によって送信された「通信指標を含む計測値」は、サーバ装置４の計測値広域受信部４１によって受信される。計測値広域送信部３３による計測値送信の機能は、制御部３０１及び広域通信部３０３によって実現される。
【００４６】
描画情報受信部３４は、サーバ装置４の描画情報送信部４４から送信される描画情報を待ち受け、当該描画情報を受信する機能を有する（描画情報待機）。なお、詳細は後述するが、サーバ装置４では、無線機器２で計測された全ての計測値を含む情報が時刻情報と合わせて計測値蓄積部４２に蓄積・保存され、構成算出部４３がこれらの情報に基づいて所定の変換処理を行うことによって、移動端末３の描画部３５に表示させるための情報（描画情報）を生成し、描画情報送信部４４が当該描画情報を送信する。描画情報受信部３４による描画情報待機の機能は、広域通信部３０３によって実現される。
【００４７】
描画部３５は、描画情報受信部３４が受信した描画情報を用いて、現状の通信状況を示す無線システム構成を所定の表示手段に表示させる機能を有する（通信状況描画）。より具体的には、通信状況描画の処理では、作業者が構築中の無線システム全体における複数の無線機器２ａ〜２ｄの相互的な無線通信６１の通信状況を視覚的に把握できるような画像表示が、ＷＥＢブラウザ等を介して表示部３０６に表示される（後に示す図１３も参照）。描画部３５による通信状況描画の機能は、制御部３０１及び表示部３０６によって実現される。
【００４８】
（２−３）サーバ装置４
サーバ装置４は、広域通信６３によって移動端末３と通信可能に接続される情報処理装置であって、無線システムを構築する事業者の管理下に置かれる。具体的には例えば、サーバ装置４としてパーソナルコンピュータや汎用コンピュータを利用することができる。
【００４９】
そして図１には、サーバ装置４の機能構成が示されており、具体的には、サーバ装置４は、計測値広域受信部４１、計測値蓄積部４２、構成算出部４３、及び描画情報送信部４４を備えている。
【００５０】
なお、これらの各機能構成は、図４に例示するサーバ装置４のハードウェア構成によって実現され、その詳細な対応は各機能構成の説明で後述する。図４は、サーバ装置のハードウェア構成を例示するブロック図である。
【００５１】
図４によれば、サーバ装置４は、サーバ装置４全体を制御する制御部４０１、永続的に各種データを保存可能な記憶部４０２、広域通信網５に接続して広域通信６３を行う広域通信部４０３、及び時刻情報を持つ計時部４０４を備えている。
【００５２】
より具体的には、制御部４０１は、ＣＰＵ、ＲＡＭ及びＲＯＭ等から構成され、ＣＰＵがＲＯＭ等に格納されたプログラムをＲＡＭに読み出して実行する等によってサーバ装置４全体を制御する。すなわち、以下に詳述するサーバ装置４の各機能構成による機能もその多くは、所定のプログラムをＣＰＵが読み出して実行することによる制御部４０１の制御によって実現される。また、記憶部４０２は、ＲＯＭやその他書き換え可能なメモリ等で構成され、制御部４０１による制御に従って各種データを蓄積・保存する。また、広域通信部４０３は、広域通信６３の通信規格に対応する通信インタフェースである。また、計時部４０４は計時機能を有するプロセッサ等であるが、制御部４０１自身が計時機能を有する場合には、制御部４０１で代用されてもよい。
【００５３】
以下では、サーバ装置４における各機能構成について詳しく説明する。
【００５４】
計測値広域受信部４１は、移動端末３の計測値広域送信部３３の「計測値送信」によって送信される「通信指標を含む計測値」を待ち受け、当該計測値を受信する機能を有する（計測値待機）。計測値広域受信部４１による計測値待機の機能は、広域通信部４０３によって実現される。
【００５５】
計測値蓄積部４２は、計測値広域受信部４１が受信した「通信指標を含む計測値」を計時部４０４が取得する時刻情報と紐付けて記憶部４０２に蓄積・保存する機能を有する（計測値保存）。計測値蓄積部４２による計測値保存の機能は、制御部４０１及び記憶部４０２によって実現される。
【００５６】
ここで、計測値蓄積部４２による計測値保存によって記憶部４０２に蓄積・保存される「通信指標を含む計測値」について具体例を示す。図５は、サーバ装置に蓄積される通信指標を含む計測値の一例を説明するための図である。図５に示すテーブル７１は、複数の無線機器２間で計測された「通信指標を含む計測値」がまとめられたテーブルの一例であり、以下に、テーブル７１の各欄について説明する。
【００５７】
記録時刻欄７１１には、当該行の情報を記録した時刻（記録時刻）が計時部４０４によって取得されて記録される。例えば、図５のテーブル７１のデータ欄の１行目では、記録時刻として「２０１５０８２１０８２２３０」が記録されているが、これは２０１５年８月２１日８時２２分３０秒に記録されたことを意味する。
【００５８】
計測元欄７１２には、通信指標を計測した計測元の無線機器２の識別子が記録される。また、計測先欄７１３には、計測元の無線機器２が通信指標を計測した相手先（計測先）の無線機器２の識別子が記録される。なお、計測元欄７１２及び計測先欄７１３に記録される識別子は、複数の無線機器２を含む無線システム全体から対象の無線機器２を一意に特定可能にするために予め用意された識別子であって、例えば、図５のテーブル７１のデータ欄の１行目を例にとれば、計測元は無線機器２ｂ「ｎｏｄｅ２ｂ」であって、計測先は無線機器２ａ「ｎｏｄｅ２ａ」を意味する。
【００５９】
そして、通信計測値欄７１４には、計測元の無線機器２（例えば無線機器２ｂ）と計測先の無線機器２（例えば無線機器２ａ）との間で計測された通信指標の計測値が記録される。なお、図５の例では、通信計測値欄７１４には、一例としてＲＳＳＩを通信指標とする計測値が記録されているが、本実施の形態による無線システム構築支援システム１では、通信指標はＲＳＳＩに限定されるものではなく、通信確立の有無や通信強度を測定可能な他の通信指標を用いてもよいし、またはこれらの複数種類の通信指標を組み合わせて測定するようにしてもよい。
【００６０】
また、図５のテーブル７１のデータ欄の２行目において、計測先欄７１３に「ｎｕｌｌ」と記録されているのは、計測元から送信された通信指標の計測に対して応答がなかった（計測先の無線機器２が見つからなかった）ことを意味し、同２行目において通信計測値欄７１４に「ｎｕｌｌ」と記録されているのは、通信指標の計測値が得られなかったことを意味する。
【００６１】
次に、構成算出部４３は、計測値蓄積部４２による計測値保存によって蓄積・保存された全ての計測値に基づいて、複数の無線機器２のそれぞれについての当該無線機器２と他の無線機器２との通信状況等を組み合わせることによって「無線システムの構成状況」を算出し、当該算出の結果を移動端末３の描画部３５で処理可能な形式の（無線機器２の通信可能な組み合わせを移動端末３の表示部３０６に表示させることができるような）描画情報に変換する（構成算出）。
【００６２】
具体的には例えば、図１に例示した状況において、無線機器２ｂの他の無線機器２ａ，２ｃ，２ｄとの通信状況は、無線機器２ａ，２ｄとは直接接続可能であり、無線機器２ｃとは直接接続不可であるものの無線機器２ｄを中継器とすれば間接接続可能である、といったことが判定される。このような判定結果を各無線機器２ａ〜２ｄについて集積することによって、複数の無線機器２を含む無線システム全体における現在の構成状況（無線システムの構成状況）が算出される。なお、無線機器２や移動端末３にＧＰＳを取り付け、ＧＰＳで取得した位置情報を計測値とともにサーバ装置４に送信したり、設置計画で事前に定められた無線機器２の位置情報をサーバ装置４に読み込ませたりすることによって、構成算出部４３で算出される「無線システムの構成状況」には、無線機器２の設置状況（無線機器２の設置位置や無線機器２間の位置関係等）を含めることができる。そして、「無線システムの構成状況」を示す情報を移動端末の描画部３５で処理可能な形式に変換することによって、最終的に「描画情報」が生成される。なお、サーバ装置４で生成される描画情報は、送信先の移動端末３の周辺の特定の構成状況だけを描画するように変換・抽出する等のように、送信先の移動端末３に対応してカスタマイズされるようにしてもよい。このような構成算出部４３による構成算出の機能は、制御部４０１及び記憶部４０２によって実現される。
【００６３】
描画情報送信部４４は、構成算出部４３によって生成された描画情報を移動端末３に送信する機能を有する（描画情報送信）。描画情報送信部４４による描画情報送信の機能は、制御部４０１及び広域通信部４０３によって実現される。
【００６４】
（３）各装置による主な処理
以下では、（２）で説明した各装置によって実行される主な処理について説明する。
【００６５】
（３−１）通信指標計測処理
図６は、通信指標計測処理の処理手順の一例を示すフローチャートである。通信指標計測処理は、通信指標の計測要求を送信する側の無線機器２によって実行される処理である。
【００６６】
図６によれば、まずステップＳ１０１において、計測指示待機部２１が、移動端末３（計測指示部３１）からの通信指標の計測を開始する指示を待ち受け、当該指示を受信すると、ステップＳ１０２の処理に進む。ステップＳ１０２では、計測送信部２２が、他の無線機器２に対して通信指標を計測するためのパケットを送信する。
【００６７】
次に、ステップＳ１０３では、計測受信部２３が、ステップＳ１０２で送信したパケットに対する応答を待ち受け、応答パケットを受信した場合には、受信した応答パケットに基づいて通信指標の計測値を算出する。具体的には例えば、応答パケットから得られる情報（パケットの送信元、パケットの送受信に関する時刻、並びに通信強度等）を参照して、応答パケットの送信元の無線機器２との間における通信指標の計測値を算出する。なお、ステップＳ１０３において、一定時間待機しても他の無線機器２から応答がない場合には、計測受信部２３は、計測値を応答なし（計測値「ｎｕｌｌ」）とする。
【００６８】
次いで、ステップＳ１０４において、計測値送信部２４が、ステップＳ１０３で算出した通信指標を含む計測値を移動端末３に送信する。
【００６９】
以上、ステップＳ１０１〜Ｓ１０４の処理によって、無線機器２は、他の無線機器２を計測先とする通信指標の計測を行うことができ、その計測値を移動端末３に送信することができる。そして、このような通信指標計測処理は、無線機器２が稼働している間、移動端末３（計測指示部３１）から通信指標の計測開始の指示を受けるごとに繰り返し実行される。
【００７０】
（３−２）通信指標計測応答処理
図７は、通信指標計測応答処理の処理手順の一例を示すフローチャートである。通信指標計測応答処理は、他の無線機器２から通信指標の計測要求を受けた側の無線機器２によって実行される処理である。
【００７１】
図７によれば、まずステップＳ１１１において、計測待受部２５が、他の無線機器２の計測送信部２２から通信指標を計測するためのパケット（計測要求）が送信されるのを待ち受け、当該パケットを受信した場合に、ステップＳ１１２の処理に進む。なお、他の無線機器２の計測送信部２２からのパケットの送信は、図６のステップＳ１０２の処理に相当する。
【００７２】
そして、ステップＳ１１２では、計測応答部２６が、他の無線機器２からの計測要求に応答する応答パケットを送信する。ここで、「通信指標を計測するためのパケット」と「応答パケット」について、簡易な例で具体的に説明すると、「通信指標を計測するためのパケット」では、当該通信を受信した相手（送信パケットの受信側の無線機器２）に対して、受信した旨を返答することを要求する。そして、受信側の無線機器２は、当該要求に応えて、「通信指標を計測するためのパケット」を受信した旨を自身の無線機器２の識別子を添えて「応答パケット」として送信する。このとき、パケットの受信時刻や受信強度等を応答パケットに含めるようにしてもよい。
【００７３】
さらに、計測応答部２６は、応答パケットの送信時に、必要に応じて、自身の無線機器２で得られた別の無線機器２に関する通信指標の計測値を合わせて送信するようにしてもよい。
【００７４】
以上、ステップＳ１１１〜Ｓ１１２の処理によって、無線機器２は、他の無線機器２から送信されてきた通信指標の計測要求に応答することができる。そして、このような通信指標計測応答処理は、無線機器２が稼働している間、他の無線機器２から通信指標の計測要求を受信するごとに繰り返し実行される。
【００７５】
（３−３）無線システム構成取得処理
図８は、無線システム構成取得処理の処理手順の一例を示すフローチャートである。無線システム構成取得処理は、移動端末３によって実行される処理であって、無線通信６２によって移動端末３と通信が確立された無線機器２との間で行われる通信処理と、広域通信６３を介してサーバ装置４との間で行われる通信処理とが含まれる。
【００７６】
まず、移動端末３が図８に示す無線システム構成取得処理を開始する前提として、移動端末３が無線機器２の何れかとの間で無線通信６２による通信が確立されている必要がある。本実施の形態においては、無線システムの構築作業の進行によって作業者の作業場所が変わることに伴って、作業者に保持される移動端末３もその位置を変える。そして、無線機器２の何れかに対する作業が行われるときには、当該無線機器２との間で無線通信６２による通信が確立される（例えば、図１の場合、無線通信６２ｄによって無線機器２ｄと通信可能に接続される）。なお、このような通信の確立に関する具体的な方法としては、例えば、作業者が移動端末３に搭載されたＢｌｕｅｔｏｏｔｈデバイスを作動させて、近傍の無線機器２ｄとの接続を確立させるといった方法を採用すればよい。
【００７７】
次に、図８の各処理を説明する。前提の一例として、移動端末３は無線通信６２ｄによって無線機器２ｄと通信可能に接続されているとする。このとき、ステップＳ１２１において、計測指示部３１が、無線通信６２ｄによる通信が確立された無線機器２ｄに向けて、通信指標の計測を開始する指示を送信する（計測指示送信）。
【００７８】
次に、ステップＳ１２２では、計測値受信部３２が、ステップＳ１２１において無線機器２ｄに向けて行った計測指示送信に対する応答を待機し、当該応答を受信した場合にはステップＳ１２３の処理に進む。より具体的には、図６のステップＳ１０４で説明したように、計測値送信部２４によって送信される通信指標を含む計測値を受信した場合に、ステップＳ１２３の処理に進む。ステップＳ１２３では、計測値広域送信部が、ステップＳ１２２の計測値待機で受信した通信指標を含む計測値を、広域通信６３によってサーバ装置４に送信する。
【００７９】
その後、ステップＳ１２４では、描画情報受信部３４が、サーバ装置４の描画情報送信部４４から送信される描画情報を待ち受け、当該描画情報を受信する機能を有する。そして、ステップＳ１２５では、描画部３５が、ステップＳ１２４で描画情報受信部３４が受信した描画情報を用いて、現状の通信状況を示す無線システム構成を所定の表示手段に表示する。なお、後述する図１３には、移動端末３の描画部３５が描画情報を用いて所定の表示手段に表示する無線システム構成の具体的な一例が示されている。
【００８０】
以上、ステップＳ１２１〜Ｓ１２５の処理によって、移動端末３は、無線通信６２によって通信可能な無線機器２との間で、通信指標の計測指示及びその応答受信を行うとともに、無線機器２から取得した「通信指標を含む計測値」を広域通信６３によってサーバ装置４に送信することができる。さらに、移動端末３は、このようにしてサーバ装置４に蓄積される「通信指標を含む計測値」に基づいて生成される「描画情報」をサーバ装置４から受信して表示手段に表示（描画）することによって、現状の通信状況を示す無線システム構成を移動端末３の操作者（例えば作業者）に教示することができる。なお、本実施の形態では、移動端末３において無線システム構成を作業者に教示する方法の一例として、描画情報に基づく表示手段への表示を採用しているが、本発明に係る無線システム構築支援システム１では、他の教示方法を採用してもよく、例えば、描画情報に基づく無線システム構成を印刷して出力したり、無線システム構成の内容を音声で報知したり、さらにはこれらの教示方法を組み合わせてもよい。
【００８１】
そして、このような無線システム構成取得処理は、移動端末３と何れかの無線機器２ａ〜２ｄとの間で無線通信６２による通信が確立されているときに、作業者が移動端末３において所定の開始操作を行うなどしてステップＳ１２１の計測指示送信が行われるごとに繰り返し実行される。
【００８２】
（３−４）無線システム構成生成処理
図９は、無線システム構成生成処理の処理手順の一例を示すフローチャートである。無線システム構成生成処理は、サーバ装置４によって実行される処理である。
【００８３】
図９によれば、まずステップＳ１３１において、計測値広域受信部４１が、計測値送信（図８のステップＳ１２３）によって移動端末３から送信される「通信指標を含む計測値」を待ち受け、当該計測値を受信する。
【００８４】
次に、ステップＳ１３２では、計測値蓄積部４２が、ステップＳ１３１で計測値広域受信部４１が受信した「通信指標を含む計測値」を計時部４０４が取得する時刻情報と紐付けて記憶部４０２に蓄積・保存する計測値保存処理を行う。
【００８５】
そして、ステップＳ１３３では、構成算出部４３が、ステップＳ１３２で蓄積・保存された全ての計測値に基づいて、複数の無線機器２のそれぞれについて、当該無線機器２と他の無線機器２との通信状況を組み合わせて無線システムの構成状況を算出し、当該算出した結果を示す情報を移動端末３の描画部３５で処理可能な形式の描画情報に変換する構成算出処理を行う。
【００８６】
最後に、ステップＳ１３４では、描画情報送信部４４が、ステップＳ１３３において構成算出部４３によって生成された描画情報を移動端末３に送信する。
【００８７】
以上、ステップＳ１３１〜Ｓ１３４の処理によって、サーバ装置４は、移動端末３と複数の無線機器２との間の「通信指標を含む計測値」を移動端末３から取得して蓄積する一方で、蓄積した計測値に基づいて、構築中の無線システム全体における現在の通信状況（より具体的には、無線機器２間における無線通信６１による通信確立の状況）を教示するための「描画情報」を生成し、移動端末３に送信することができる。そして、このような無線システム構成生成処理は、移動端末３から送信された「通信指標を含む計測値」を受信するごとに繰り返し実行される。
【００８８】
（４）無線システム構築支援システムにおける無線システム構築支援処理
図１０〜図１２は、無線システム構築支援処理の処理手順例を示すシーケンス図（その１〜その３）である。以下では、図１０〜図１２を参照しながら、本実施の形態に係る無線システム構築支援システム１において無線システム構築の支援が行われる流れを簡単に説明する。
【００８９】
ここで、図１０〜図１２に示すシーケンス図は、図６〜図９を参照しながら（３−１）〜（３−４）で説明した各構成装置（無線機器２、移動端末３、サーバ装置４）によって実行される処理について、各構成装置間での相関関係を把握できるようにしたものである。さらに言えば、これらの各処理については、（２−１）〜（２−３）における機能構成の説明でも詳述している。したがって以下では、個々の処理について重複する説明は適宜省略する。
【００９０】
また、図１０〜図１２に示す無線システム構築支援処理の全体的な流れとして、図１０では、無線システムの構築作業を進めるなかで、作業者が無線機器２ａ，２ｂの設置を終えて、無線機器２ｂに近接しているときに実行可能な処理が示されている。そしてその後、無線機器２ｃの設置終了後に無線機器２ｃに近接しているときに実行される処理が図１１に示され、さらにその後、無線機器２ｄの設置終了後に無線機器２ｄに近接しているときに実行される処理が図１２に示されている。このとき、図１０では、移動端末３と無線機器２ｂとの間で無線通信６２（無線通信６２ｂ）による通信が確立され、同様に、図１１では移動端末３と無線機器２ｃとの間で無線通信６２（無線通信６２ｃ）による通信がさらに確立され、図１２では移動端末３と無線機器２ｄとの間で無線通信６２（無線通信６２ｄ）による通信が確立されているものとする。
【００９１】
図１０に示した処理の流れを説明する。
【００９２】
まず、無線機器２ｂに対して無線システムの構築作業を行う作業者が、無線機器２ｂと他の無線機器２ａ，２ｃ，２ｄとの間での通信指標を計測するための所定の操作を移動端末３に対して行うことによって、移動端末３の計測指示部３１が無線機器２ｂに対して計測指示送信を行う（ステップＳ１００１）。この計測指示送信は、図８のステップＳ１２１の計測指示送信処理に相当する。
【００９３】
ステップＳ１００１の計測指示送信は、計測指示待機の処理を行う無線機器２ｂの計測指示待機部２１ｂによって受信され（ステップＳ１００２）、当該受信を契機として、計測送信部２２ｂが他の無線機器２に対する計測送信を行う（ステップＳ１００３）。この計測指示待機は図６のステップＳ１０１の計測指示待機処理に相当し、計測送信は図６のステップＳ１０２の計測送信処理に相当する。
【００９４】
なお、ステップＳ１００２の時点では、無線システムの構築作業は無線機器２ａ，２ｂまでしか進行していないことから、無線通信６１を利用した無線機器２ｂからの計測送信は無線機器２ａでのみ受信可能である。言い換えれば、無線機器２ｂと無線機器２ｃ，２ｄとの間では無線通信６１は確立していないため、無線機器２ｂからの計測送信は無線機器２ｃ，２ｄでは受信されない。
【００９５】
ステップＳ１００３の計測送信は、通信指標計測待機の処理を行う無線機器２ａの計測待受部２５ａによって受信され（ステップＳ１００４）、当該受信を契機として計測応答部２６ａが通信指標計測応答を行い、無線機器２ｂに応答パケットを返信する（ステップＳ１００５）。通信指標計測待機は図７のステップＳ１１１の通信指標計測待機処理に相当し、通信指標計測応答は図７のステップＳ１１２の通信指標計測応答処理に相当する。
【００９６】
ステップＳ１００５の通信指標計測応答は、計測受信の処理を行う無線機器２ｂの計測受信部２３ｂによって受信され（ステップＳ１００６）、当該受信に基づいて、計測値送信部２４ｂが計測値送信の処理を行い、通信指標を含む計測値を移動端末３に送信する（ステップＳ１００７）。この計測受信は図６のステップＳ１０３の計測受信処理に相当し、計測値送信は図６のステップＳ１０４の計測値送信処理に相当する。
【００９７】
ステップＳ１００７の計測値送信は、計測値待機の処理を行う移動端末３の計測値受信部３２によって受信され（ステップＳ１００８）、計測値広域送信部３３が計測値送信の処理を行うことによってサーバ装置４に転送される（ステップＳ１００９）。この計測値待機は図８のステップＳ１２２の計測値待機処理に相当し、計測値送信は図８のステップＳ１２３の計測値送信処理に相当する。
【００９８】
図１０のステップＳ１００１〜Ｓ１００８までの処理が行われることによって、移動端末３は、移動端末３と無線通信６２で通信可能に接続された無線機器２ｂから、無線機器２ｂと他の無線機器２ａ，２ｃ，２ｄとの間の無線通信６１による通信状況を示す情報（通信指標を含む計測値）を収集することができる。具体的には、無線機器２ａから受信した応答パケットに基づいて、無線通信６１によって無線機器２ｂと無線機器２ａとの間がどの程度の通信指標で通信が確立しているかが示される。また、無線機器２ｃ，２ｄからの応答パケットが受信できないことから、無線機器２ｂと無線機器２ｃ，２ｄとの間は無線通信６１によって通信が確立していないことが示される。そして、ステップＳ１００９では、移動端末３は、このようにして収集した無線機器２間での無線通信６１による通信状況の情報をサーバ装置４に送信する。
【００９９】
そして、ステップＳ１００９の計測値送信によって移動端末３の計測値広域送信部３３から広域通信６３によって送信された「通信指標を含む計測値」は、計測値待機の処理を行う計測値広域受信部４１によってサーバ装置４側で受信される（ステップＳ１０１０）。この計測値待機は図９のステップＳ１３１の処理に相当する。
【０１００】
ステップＳ１０１０において「通信指標を含む計測値」を受信したサーバ装置４では、計測値蓄積部４２による計測値保存（ステップＳ１０１１）、及び構成算出部４３による構成算出（ステップＳ１０１２）が行われ、ステップＳ１０１２の処理によって生成された描画情報が、描画情報送信部４４による描画情報送信の処理によって移動端末３に送信される（ステップＳ１０１３）。ステップＳ１０１１〜Ｓ１０１３の処理は、図９のステップＳ１３２〜Ｓ１３４の処理に相当し、前述の（２−３）でもこれらの処理について説明している。
【０１０１】
そして、ステップＳ１０１４では、ステップＳ１０１３でサーバ装置４から送信された描画情報が、描画情報待機の処理を行う移動端末３の描画情報受信部３４によって受信され、当該受信した描画情報を用いて、描画部３５が現在の（構築中の）無線システムにおける無線機器２間の通信状況を表示手段に表示させる通信状況描画を行う（ステップＳ１０１５）。この描画情報待機は図８のステップＳ１２４の描画情報待機処理に相当し、通信状況描画は図８のステップＳ１２５の通信状況描画処理に相当する。
【０１０２】
図１０のステップＳ１００９〜Ｓ１０１５の処理が行われることによって、移動端末３は、サーバ装置４から構築中の無線システムにおける無線機器２間の通信状況をリアルタイムに取得し、自身の表示手段に表示することができる。
【０１０３】
以上、図１０のステップＳ１００１〜１０１５に示した処理を経て、移動端末３では、所定の通信指標の計測によって無線機器２ｂと他の無線機器２ａ，２ｃ，２ｄとの通信状況を取得するとともに、サーバ装置４に蓄積された通信指標の計測値に基づいた描画情報をサーバ装置４から取得して表示手段（表示画面）に表示することができる。
【０１０４】
この結果、サーバ装置４の表示画面には無線機器２ａ，２ｂの構築作業が終了したときの無線システム全体の通信状況が表示され、より具体的には、無線機器２ａ，２ｂの設置が完了したことが表示されるとともに、無線機器２ａと無線機器２ｂとの間で無線通信６１ａによる通信が確立されたことが表示される。
【０１０５】
図１０のときと同様に、図１１に示した処理の流れを簡単に説明する。
【０１０６】
図１１では、移動端末３は無線機器２ｃとの間で無線通信６２ｃによる通信が確立されているため、移動端末３から無線機器２ｃに対して計測指示送信が行われる（ステップＳ１０１６）。これを受けて無線機器２ｃでは、計測指示待機（ステップＳ１０１７）、計測送信（ステップＳ１０１８）、計測受信（ステップＳ１０１９）、そして計測値送信（ステップＳ１０２０）が行われる。これらの処理は、図１０に示したステップＳ１００２，Ｓ１００３，Ｓ１００６，Ｓ１００７と同様である。
【０１０７】
ただし、図１１に示す作業段階では、無線機器２ｃは無線機器２ａ，２ｂとの間で無線通信６１による通信が確立しておらず（例えば、図１に例示した無線通信６１ｂ）、無線機器２ｄの作業も開始されていないことも含めると、他の無線機器２の何れとも無線通信６１による通信が行われない状況にある。したがって、ステップＳ１０１８の計測送信において無線機器２ｃから他の無線機器２（２ａ，２ｂ，２ｄ）に対して所定の通信指標を計測するためのパケットが送信されても、他の無線機器２の何れも当該パケットを受信しないことから応答パケットも返送されない。その結果、ステップＳ１０１９における計測受信では、所定の待機時間が経過してタイムアウトすることになり、ステップＳ１０２０では、受信した計測値がない（他の無線機器２の何れとも通信が確立されず、孤立している）旨を示す情報が計測値送信として移動端末３に送られる。
【０１０８】
そして、ステップＳ１０２０の計測値送信は、計測値待機の処理を行う移動端末３の計測値受信部３２によって受信され（ステップＳ１０２１）、計測値広域送信部３３が計測値送信の処理を行うことによってサーバ装置４に転送される（ステップＳ１０２２）。すなわち、ステップＳ１０２２の計測値送信では、無線機器２ｃの孤立を示す情報がサーバ装置４に送られる。
【０１０９】
そして、ステップＳ１０２２の計測値送信を受信したサーバ装置４では（ステップＳ１０２３）、「無線システム構成生成処理」（図９参照）が行われる。具体的には、ステップＳ１０２４で受信内容が保存され、ステップＳ１０２５でこれまでに蓄積された計測値等に基づいて、構築中の無線システム全体における現在の通信状況を教示するための描画情報が生成され、ステップＳ１０２６で描画情報が移動端末３に送信される。
【０１１０】
そして、ステップＳ１０２６の描画情報送信は、描画情報待機の処理によって移動端末３で受信され（ステップＳ１０２７）、通信状況描画の処理によって移動端末３の表示手段に表示される（ステップＳ１０２８）。図１０の処理を経て図１１のステップＳ１０２８の処理が行われることによって、移動端末３の表示画面には、無線機器２ａ〜２ｃまでの構築作業が終了したときの無線システム全体の通信状況が表示される。
【０１１１】
具体的には、無線機器２ａ，２ｂ，２ｃの設置が完了したことが表示されるとともに、無線機器２ａと無線機器２ｂとの間で無線通信６１ａによる通信が確立された一方で、無線機器２ｃが孤立している（無線機器２ａと無線機器２ｃとの間、並びに無線機器２ｂと無線機器２ｃとの間では無線通信６１ａによる通信が確立されていない）ことが表示される。
【０１１２】
図１０，図１１のときと同様に、図１２に示した処理の流れを簡単に説明する。
【０１１３】
図１２では、移動端末３は無線機器２ｄとの間で無線通信６２ｄによる通信が確立されているため、移動端末３から無線機器２ｄに対して計測指示送信が行われる（ステップＳ１０２９）。これを受けて無線機器２ｄでは、計測指示待機（ステップＳ１０３０）、計測送信（ステップＳ１０３１）、計測受信（ステップＳ１０３６）、そして計測値送信（ステップＳ１０３７）が行われる。これらの処理は、図１０に示したステップＳ１００２，Ｓ１００３，Ｓ１００６，Ｓ１００７と同様である。
【０１１４】
ここで、図１２に示す作業段階では、無線機器２ｄは無線機器２ｃとの間だけでなく、無線機器２ｂとの間でも無線通信６１による通信が確立しているとする（図１に例示した無線通信６１ｃ，６１ｄを参照）。したがって、図１１の作業段階では無線機器２ｃは孤立した通信状態にあったが、図１２の作業段階では、無線機器２ｄが中継器としての役割を果たすことによって、無線機器２ｂと無線機器２ｃとの間も無線通信６１によって間接的に通信が確立され、無線機器２ｃの孤立が解消されている。
【０１１５】
かくして、ステップＳ１０３１の計測送信において無線機器２ｄから他の無線機器２（２ａ，２ｂ，２ｃ）に対して所定の通信指標を計測するためのパケットが送信されると、当該パケットは無線機器２ｂ，２ｃで受信される（ステップＳ１０３４，Ｓ１０３２）ことから、無線機器２ｂ，２ｃのそれぞれにおいて通信指標の計測が行われ、通信指標計測応答が無線機器２ｄに返信される（ステップＳ１０３５，Ｓ１０３３）。そして、ステップＳ１０３７の計測値送信では、無線機器２ｂで計測された「通信指標を含む計測値」と無線機器２ｃで計測された「通信指標を含む計測値」とが移動端末３に送信される。
【０１１６】
そして、移動端末３側では、計測値待機によって無線機器２ｄからの「通信指標を含む計測値」を受信し（ステップＳ１０３８）、当該受信した情報を計測値送信によってサーバ装置４に送信する（ステップＳ１０３９）。
【０１１７】
そして、ステップＳ１０３９の計測値送信を受信したサーバ装置４では（ステップＳ１０４０）、「無線システム構成生成処理」（図９参照）が行われる。具体的には、ステップＳ１０４１で受信内容が保存され、ステップＳ１０４２でこれまでに蓄積された計測値等に基づいて、構築中の無線システム全体における現在の通信状況を教示するための描画情報が生成され、ステップＳ１０４３で描画情報が移動端末３に送信される。特に、ステップＳ１０４２の処理が行われると、無線機器２ｃの孤立というそれまでの構成が更新され、無線機器２ｃが無線機器２ｄを介して無線機器２ｂと通信可能（さらには無線機器２ａとも通信可能）な現在の構成が得られる。
【０１１８】
そして、ステップＳ１０４３の描画情報送信は、描画情報待機の処理によって移動端末３で受信され（ステップＳ１０４４）、通信状況描画の処理によって移動端末３の表示手段に表示される（ステップＳ１０４５）。
【０１１９】
図１３は、無線システム構築支援処理が行われたときの描画情報の表示例を説明するための図である。図１０〜図１２に示した無線システム構築支援処理の各処理が行われることによって、図１２のステップＳ１０４５では、複数の無線機器２に対する無線システムの構築作業が進むなかで、無線機器２ｄまでの作業終了時の無線システム全体の通信状況が移動端末３の表示手段（表示画面７２）に描画情報として表示されることとなる。
【０１２０】
具体的には、図１３に示したように、無線機器２ａと無線機器２ｂとの間で無線通信６１ａによる通信が確立され、無線機器２ｂと無線機器２ｄとの間で無線通信６１ｄによる通信が確立され、無線機器２ｃと無線機器２ｄとの間で無線通信６１ｃによる通信が確立されていることが表示画面７２に表示される。無線通信６１によるこのような通信状況が表示されることによって、作業者は、無線システムにおいて無線機器２ａ〜２ｄが孤立することなく、直接的または間接的に互いに通信可能であることを表示画面７２から容易に把握することができる。
【０１２１】
なお、図１３の表示例は、無線システムの通信状況を教示する最も簡易な表示形式の一例であって、本実施の形態による無線システム構築支援システム１では、描画情報の表示形式は上記の表示例に限定されるものではない。
【０１２２】
例えば、表示画面７２において、通信不可能な構成間について破線の接続線で表示するようにしたり、通信可能な構成間について通信強度（例えば通信指標の計測値）に応じて異なる表示態様（接続線の太さや色の変更、通信強度の追加表示等）の接続線で表示するようにしたりしてもよい。状況を認識し易い表示態様とすることによって、作業者が専門知識を有していなくても無線システムの構成状況を容易に把握させることができる。
【０１２３】
また、表示画面７２における複数の無線機器２の表示配置について、作業者が各無線機器２の配置を指定可能にしてもよいし、無線機器２の位置情報（無線システムの構築計画や実際の配置位置から取得できる）に基づいて、実際の配置に基づいた位置関係で各無線機器２を表示するようにしてもよい。なお、作業者による所定の指定を受付可能にする場合には、移動端末３が専用のＧＵＩ等の入力手段を備えることが好ましい。
【０１２４】
描画情報の表示形式に関する上記のバリエーション（多様性）は、サーバ装置４の構成算出部４３による構成算出処理を行うためのプログラムや、移動端末３の描画部３５による通信状況描画処理を行うためのプログラム等にこれらのバリエーションのための機能を盛り込むことによって実現することができる。
【０１２５】
また、表示画面７２において、必ずしも無線システムに含まれる全ての無線機器２に関する構成状況を表示するのではなく、例えば作業者や作業管理者（監督者）によって指定された範囲内の無線機器２間の通信状況を表示するようにしてもよい。具体的には例えば、移動端末３またはサーバ装置４において、無線システムの構成状況の表示に関する所望の表示範囲を指定可能にし、このような指定が行われた場合に、サーバ装置４での描画情報の生成時に情報を制限することによって、または、移動端末３での描画時に表示範囲を制限することによって、作業者に割り当てられた作業エリア（例えば、当該作業者が設置する無線機器２のみを対象とする範囲）内の無線システムの構成状況を抽出して表示することができる。このように表示範囲を制限することによって、作業者自身が注視すべき対象が明瞭になり、作業者が作業判断をし易くなるように支援することができる。
【０１２６】
（５）本実施の形態による効果
以上に説明してきたように、本実施の形態の無線システム構築支援システム１によれば、無線システムの構築作業において作業者が構築計画に沿って複数の無線機器２を設置していくなかで、無線機器２を設置するごとに、移動端末３の操作を契機として無線機器２間の無線通信６１について通信指標を含む計測値を取得し、取得した複数の計測値をサーバ装置４に送信することによって、複数の無線機器２間での計測値をサーバ装置４に蓄積することができる。そして、サーバ装置４において複数の無線機器からの計測値が効果的に変換されることによって、無線システムの現在の構成状況を示す描画情報を生成可能にし、生成された描画情報を移動端末３に送ることによって、作業者が保持する移動端末３の表示画面において、現在の無線システム全体の構成状況（無線通信６１による通信状況や無線機器２の設置状況）を表示することができる。この現在の無線システム全体の構成状況には、他の無線機器２同士の通信状況や、何れの無線機器２とも無線通信６１による通信が確立されていない孤立した無線機器２の状況も含まれる。
【０１２７】
本実施の形態の無線システム構築支援システム１によれば、上記したように無線システム全体の構成状況が作業者の手元でリアルタイムに表示可能にされることによって、無線システムの構築作業の各時点で、無線システム全体において無線通信６１の接続が確立したか否かを容易に把握することができるため、それぞれの無線機器２の設置段階で必ずしも全ての無線通信６１の接続が確立しなくても、全体最適な観点から無線システムの構築作業を進めることができるよう支援することができる。
【０１２８】
具体的な例で補足すると、例えば、図１３で例示した無線機器２ｃのように、無線機器２ｃの設置時点では無線通信６１の接続が確立せずに孤立するものの、その後に構築計画に沿って設置された無線機器２ｄによって中継されることで無線通信６１の接続が確立するような場合、従来は、一組の無線機器間で通信が確立できなかったときにはそのたびに当該通信を確立するという局所最適の観点で無線システムの構築作業を行っていたため、無線機器２ｃの設置時点で無線機器２ｃにおける無線通信６１の接続が確立するまでは次の無線機器の設置作業に進むことができず、完成後の無線システム全体でみると無駄な中継器の追加設置や無線機器の設置変更等が行われる可能性があった。これに対して、本実施の形態の無線システム構築支援システム１の場合、無線機器２ｃが孤立していたとしても、中継器の役割を果たすことに期待できる無線機器２ｄの設置計画がその後に予定されているような場合には、無線機器２ｄの設置に進んだうえで、無線システム全体の構成状況を再度確認することができるため、全体最適の観点で無線システムの構築作業を支援することができる。
【０１２９】
すなわち、本実施の形態の無線システム構築支援システム１によれば、無線システムの構築作業の途中で、局所最適の観点に基づく追加作業（中継器の追加設置や無線機器の設置変更等）が発生し得るという作業制約を無くすことができ、作業者は全体最適の観点に基づいた無線システムの構築作業を進めることができる。
【０１３０】
また、本実施の形態の無線システム構築支援システム１によれば、無線システムの構築中の各時点において、無線システム全体で無線通信が確立しているかの通信状況をサーバ装置４に集約できるだけでなく、無線システム全体の構成状況を示す描画情報がサーバ装置４で算出及び生成されて移動端末３に送信されることから、複数の作業者がそれぞれ移動端末３を携行して無線機器２の設置作業を並行して進めることができる。このような場合、それぞれの作業者の移動端末３から送信される「無線機器２に関する通信状況（計測値）」がサーバ装置４に蓄積されることは、移動端末３が１台である（作業者が１人である）ときと何ら変わりはなく、複数の作業者が並行して作業を行う場合であっても、各作業者の移動端末３で無線システム全体の構成状況を共有することができる。かくして、無線システム構築支援システム１によれば、複数の作業者が無線機器２を設置する作業を並行して行う場合であっても、このような並行作業が行われる場合でも全体最適の観点で無線システムの構築を進めることを支援でき、無線システムの構築に要する期間の短期化を図ることを支援できる。
【０１３１】
また、本実施の形態の無線システム構築支援システム１によれば、無線機器２を設置するごとに、当該無線機器２だけでなく他の設置済の無線機器２までを含む複数の無線機器２における通信指標を含む計測値をサーバ装置４に集約し、集約した情報に基づいて生成された無線システム構成の情報が移動端末３の表示画面上に視覚的に表示されることで、作業者は現在の無線システム構成の状況を容易に把握することができる。したがって、無線システム構築支援システム１によれば、作業者が無線に関する専門的な知識を求められることなく、移動端末３の表示画面の表示を確認しながら無線システムの構築作業を行うことを可能にするよう支援することができる。
【０１３２】
また、本実施の形態に係る無線システム構築支援システム１では、作業管理者が携行する移動端末（移動端末３と同じ装置であってよい）に対しても、作業者が携行する移動端末３と同様にサーバ装置４から描画情報を送信し、現在の無線システムの構成状況を教示可能にすることによって、構築作業を全体的に管理する作業管理者（監督者等）にしても以下のような支援効果を奏する。
【０１３３】
すなわち、無線システム構築支援システム１によれば、１ホップ分の通信指標の計測結果を足し合わせていく（蓄積していく）ため、複数の無線機器２間の通信指標をマルチホップで毎回計測する場合よりも早く、無線システムによって構成されるネットワークの全体像を把握することができる。無線システムによって構成されるネットワークの全体像を従来よりも想起に把握できることによって、事前の作業計画による想定やシミュレーションと実際の状況との比較で乖離が生じた場合には、作業管理者が早めの対策を執り行うことができるため、手戻りによる工数の増大を抑制し、適切なタイミングで事前の作業計画を柔軟に見直すことを支援することができる。
【０１３４】
具体的には例えば、設置段階で孤立状態の無線機器（例えば無線機器２ｃ）があった場合に、作業管理者は、その後の所定段階までは、作業計画に沿って設置される無線機器（例えば無線機器２ｄ）が中継器となって無線機器２ｃの孤立状態が解消されることに期待すれば、作業計画を変更することなく作業者の作業を進めさせる。しかし、所定段階まで進んでも無線機器２ｃの孤立状態が解消されなかった場合には、作業者が無線機器２ｃから離れすぎてしまわないうちに、作業管理者は当該時点におけるネットワークの全体像に基づいて作業計画を変更し、無線機器２ｃの近辺に中継器の無線機器を追加設置させることができる。このように柔軟な作業計画の変更が支援されることによって、手戻り工数の増大を抑制することができる。
【０１３５】
さらに、無線システム構築支援システム１は、複数の作業者による並行作業が行われる場合でも、各作業者の作業によって構築されたネットワーク同士が想定通りに接続するかを確認するといったような、事前の想定と現実の作業結果との比較をリアルタイムで実行できるようにするため、随時、作業管理者による見直しの対策検討を支援することができる。
【０１３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【０１３７】
１        無線システム構築支援システム
２（２ａ〜２ｄ）  無線機器
２１（２１ａ〜２１ｄ）  計測指示待機部
２２（２２ａ〜２２ｄ）  計測送信部
２３（２３ａ〜２３ｄ）  計測受信部
２４（２４ａ〜２４ｄ）  計測値送信部
２５（２５ａ〜２５ｄ）  計測待受部
２６（２６ａ〜２６ｄ）  計測応答部
２７（２７ａ〜２７ｄ）  計測値記憶部
２０１    制御部
２０２    記憶部
２０３    入力部
２０４    通信部
２０５    直接通信部
３        移動端末
３１      計測指示部
３２      計測値受信部
３３      計測値広域送信部
３４      描画情報受信部
３５      描画部
３０１    制御部
３０２    記憶部
３０３    広域通信部
３０４    直接通信部
３０５    計時部
３０６    表示部
４        サーバ装置
４１      計測値広域受信部
４２      計測値蓄積部
４３      構成算出部
４４      描画情報送信部
４０１    制御部
４０２    記憶部
４０３    広域通信部
４０４    計時部
５        広域通信網
６１（６１ａ〜６１ｄ）  無線通信
６２（６２ａ〜６２ｄ）  無線通信
６３      広域通信
７１      テーブル
７２      表示画面
【図１】
0006571589.tif 000002
【図２】
0006571589.tif 000003
【図３】
0006571589.tif 000004
【図４】
0006571589.tif 000005
【図５】
0006571589.tif 000006
【図６】
0006571589.tif 000007
【図７】
0006571589.tif 000008
【図８】
0006571589.tif 000009
【図９】
0006571589.tif 000010
【図１０】
0006571589.tif 000011
【図１１】
0006571589.tif 000012
【図１２】
0006571589.tif 000013
【図１３】
0006571589.tif 000014